(57)【特許請求の範囲】
【請求項１】
上下の主切れ刃、側部の副切れ刃及びこれらの間のコーナー切れ刃と組み合わせられた作動前面のあるボデーを有し、これらの全てが前記前面に形成されかつそれらの組み合わせられた切れ刃から作動前面の全周に沿って内向き方向に伸びているすくい面を有し、更に切削用差込み工具の端面を通過する想像上の基準面を有する切削用差込み工具であって、前記主切れ刃の各が、その組み合わせられたコーナーエッジから、前記基準面より離れて切削用差込み工具の内向きの方向に伸びており、前記主切れ刃の各が、隣接のコーナーエッジから切削用差込み工具の内向きの方向に伸びている２個の横要素切れ刃、及びこれらの間の中央要素切れ刃を有し、
基準面に直角の方向に見たとき、組み合わせられた横要素切れ刃と中央要素切れ刃とが部分的に重なるように方向付けられた中間要素切れ刃を介して、前記横要素切れ刃と前記中央要素切れ刃とが併合する
することを特徴とする切削用差込み工具。
【請求項２】
前記中央要素切れ刃が前記基準面と同一方向である請求項１による切削用差込み工具。
【請求項３】
作動前面が、組み合わせられた副側部切れ刃から前記基準面より離れて差し込み工具の内向き方向に延びる２個の要素面を有する請求項１による切削用差込み工具。
【請求項４】
切削用差込み工具が回転対称軸まわりに割り出し可能であり、この回転対称軸は切削用差込み工具の基準面と平行でありかつ主切れ刃を横切る請求項１による切削用差込み工具。
【請求項５】
切削差込み用工具のボデーは、その両端の１対の同形の前後の面、両側にある上下の両面、及び前面と後面との間を伸びている１対の両側のある角柱形状を有する請求項４による切削用差込み工具。
【請求項６】
主切れ刃、副切れ刃及びコーナー切れ刃の前記すくい面とは、これらと前記想像上の基準面への垂線とにより形成される鋭角が前記主切れ刃、副切れ刃及びコーナー切れ刃に対して異なるように方向付けられる請求項１による切削用差込み工具。
【請求項７】
主切れ刃の各のすくい面と前記想像上の基準面とにより形成される鋭角が少なくとも差し込み工具の主切れ刃に沿って変わる請求項１による切削用差込み工具。
【請求項８】
切削用差し込み工具のボデーに、長手方向軸線を有するクランプネジ穴が形成され、これが切削用差し込み工具の前記基準面と平行でありかつ前記主切れ刃を横切る請求項１による切削用差込み工具。
【請求項９】
コーナー切れ刃に隣接して配置されかつこれに移行する差込み工具の副切れ刃の各のある一部分がワイパーとして機能する請求項１による切削用差込み工具。
【請求項１０】
差込み工具がネットシェープ法により製造される先行請求項１乃至９のいずれか１による切削用差し込み工具。
【発明の詳細な説明】
【０００１】
【発明の分野】
本発明は、異なった切削作業用の切削工具に取り付けるタンジェンシャル（オンエッジ）切削用差込み工具に関する。
【０００２】
【発明の背景】
タンジェンシャル（ｔａｎｇｅｎｔｉａｌ）切削用差込み工具は、回転している切削工具又は同等品により立削り用カッター又は長溝切りカッターのような回転フライス削り工具と共に使用されることが多い。かかる使用の例はＵＳ３４１６２０９号、ＵＳ３４９０１１７号、ＵＳ３７０１１８７号及びＵＳ４７９０６９３号に見いだすことができる。
【０００３】
本発明が関係する種類の通常のタンジェンシャル切削用差込み工具は、クランプネジ穴と作動前面とのある角柱体を有し、この作動前面はクランプネジ穴と一般に平行であり、かつこれは、上の切れ刃と下の切れ刃及びこれらの間を伸びて差込み工具コーナーエッジを介してこれらｇａ併合する側部エッジと関連する。かかる通常のタンジェンシャル切削用差込み工具においては、側部及びコーナーのエッジは、通常は切削作業には使用されず、従って適切な切削用の形態が設けられない。
【０００４】
ＷＯ９７／１７１５７号は正面フライス削り作業用の両頭型の割出し可能なタンジェンシャル切削用差込み工具を明らかにし、これにおいては、前面と後面は、各が上下の主切れ刃、これらの間の２個の副側部切れ刃、及び主副の切れ刃が出会う４個のコーナーエッジと関連する。前後の面の各は、関連の切れ刃と切れ刃から外向きに突き出ている平らな中央位置決め面との間を周囲に沿って伸びている切り屑溝が形成される。
【０００５】
上の種類の新規なタンジェンシャル切削用差込み工具を提供することが本発明の目的である。
【０００６】
【発明の概要】
本発明により、上下の主切れ刃、側部の副切れ刃及びこれらの間のコーナー切れ刃と組み合わせられた作動前面のあるボデーを有するタンジェンシャル切削用差込み工具において、これら切れ刃の全てが前記前面に形成されかつそれらの組み合わせられた切れ刃から切れ刃の内向き方向に伸びているすくい面を有し、切削用差込み工具のコーナー切れ刃の端点を通過する想像上の基準面を有する切削用差込み工具であって、前記主切れ刃の各が、その組み合わせられたコーナーエッジから、前記基準面より離れて切削用差込み工具の内向きの方向に伸びることを特徴とする切削用差込み工具が提供される。
【０００７】
好ましくは、主切れ刃の各は、隣接のコーナーエッジから差込み工具の内向きの方向に伸びている２個の横要素切れ刃、及び前記基準面と実質的に同方向でこれらの間にある中央要素切れ刃を持つ。
【０００８】
好ましくは、作動前面は、組み合わせられた副側部エッジから差込み工具の内向き方向に伸びる２個の要素面を持つ。このデザインのため、差込み工具は、一般に主切れ刃の形状を繰り返す作動前面の形状の手段により、１対の適切な位置決め用の面が設けられる。
【０００９】
好ましくは、切れ刃は１８０゜回転対称軸まわりで割り出し可能であり、この軸は作動前面と実質的に平行でありかつ主切れ刃を実質的に横切る。切削用差込み工具のボデーは、両端の１対の同形の前面と後面、両側の上面と下面、及び前後の面の間を伸びている両側の１対の側面を有する角柱状である。
【００１０】
好ましくは、切れ刃のすくい面は、これと前記想像面への垂線とで形成する鋭角が、主切れ刃、副切れ刃及びコーナー切れ刃について異なる。この角度の値はこれら切れ刃に沿って変化することができる。
【００１１】
本発明の切削用差込み工具の形状は、研削作業が不要なネットシェープ法による切削用差込み工具の製造に特に適し、このため、適宜の希望のデザインの、特に非平面の切り屑すくい及び逃げ面を得ることができる。
【００１２】
【図面の詳細な記載】
本発明をより良く理解するため及びこれを実際にいかに実施できるかを示すために付属図面が参照されるであろう。
【００１３】
図１、２、３及び４は、切削用差込み工具１が有効切れ刃として機能する１２個のエッジ、及び８個の有効切削用コーナーを持つように、回転対称軸Ａまわりに１８０゜の割出しができる本発明による両頭式のタンジェンシャル切削用差込み工具１を示す。この差込み工具は広範囲の種々の切削作業に使用することができる。
【００１４】
図１に見られるように、切削用差込み工具１は、前後の作動面２、上下の両面６及びこれらの間を伸びている１対の両側の側面８を有する角柱体を持つ。差込み工具１は、対称軸Ａと一致して伸びかつ上下の面６の間を伸びている長手方向軸線を持ったクランプネジ穴９を持つ。
【００１５】
前後の作動面２は同じデザインを有し、このため、これらの面の一方のみ、即ち前方の作動面２が更に説明されるであろう。
【００１６】
図１及び２に示されるように、前方作動面２は、上下の面６と組み合わせられた同形の上下の主切れ刃１０、側面８と組み合わせられた同形の副切れ刃１２、及び丸みを付けられかつ隣接する主切れ刃１０と副切れ刃１２との間を伸びて連続的にこれらの間を移行して行く４個の同形のコーナー切れ刃１４により境界が決められる。切れ刃１は、図３にＰとして示され、かつコーナー切れ刃１４の端点を通過する想像上の基準面を持つ。
【００１７】
図３に見られるように、前方作動面２は、一般に、その全周に沿って基準面Ｐに関して低くされる。より特別には、図１に見られるように、前方作動面２は一般に１８で示された周囲面を有し、この周囲面は、それぞれ主切れ刃１０、副切れ刃１２及びコーナー切れ刃１４に沿って伸びる部分２０、２２及び２４を持つ。図５ａないし５ｄに見られるように、これらの部分は、その対応している主切れ刃１０、副切れ刃１２及びコーナー切れ刃１４から内向きに伸びて、それぞれの切り屑すくい面２０、２２、２４を構成する。図５ａ−５ｄに示されるように、切り屑すくい面２０、２２及び２４は、基準面Ｐへの垂線とそれぞれ角度θ10、θ12及びθ14を形成し、これら角度は異なった値のものとすることができ、かつそれぞれの切れ刃１０、１２及び１４の長さに沿って変わることができる。
【００１８】
図１、２及び図５Ａないし５Ｄに見られるように、主切れ刃１０、副切れ刃１２及びコーナー切れ刃１４には、これらから、これらと組み合わせられたそれぞれの切り屑すくい面２０、２２及び２４に向かって伸びているランド２６が設けられる。
【００１９】
図１、３、４及び５Ａないし５Ｄに見られるように、切削用差込み工具１の上下の面６と側面８及びこれらの間の差込み工具コーナー部分２７は、各に、それぞれ主切れ刃１０、副切れ刃１２及びコーナー切れ刃１４に隣接して配置された逃げ面２８ａ、２８ｂ及び２８ｃが形成され、これらは、差込み工具が切削工具に取り付けられたとき、これらの切れ刃に適切な逃げ角を提供する。逃げ面２８ａは、好ましくは基準面Ｐに対して実質的に直角である。上下の面６には、切削工具内における差込み工具の支持のために、突き出ている中央ベース部分２９が各に形成される。
【００２０】
図３に見られるように、各主切れ刃１０は、隣接のコーナー切れ刃１４から基準面Ｐに関して一般に内向きに伸び、そして隣接のコーナー切れ刃１４から離れかつ基準面Ｐから離れて中央要素切れ刃３２に向かって伸びている２個の同様な横要素切れ刃３０を持つ。横要素切れ刃３０は、基準面Ｐを横切るように向けられた中間要素切れ刃３４を経て中央要素切れ刃３２に移行する。好ましくは、中間要素切れ刃３４は、組み合わせられた横要素切れ刃３０と中央要素切れ刃３２とが、基準面Ｐに垂直な方向で見たときに部分的に重なり、これにより切削作業中における効果的な切り屑の割れを提供し得るような方向にされる。
【００２１】
図１及び図５ａにおいて明瞭に見られるように、前方作動面２は、一般に主切れ刃１０の幾何学的形態を繰り返す。即ち、これは、副切れ刃１２から中央部分４２に向かって内向きに伸び中間部分４４を介して中央部分４２に移行する横部分４０を持つ。切削用差込み工具１が切削工具に取り付けられたときは、その後面２の横部分４０は、差込み工具の位置決め用の面として機能する。
【００２２】
図６Ａ及び７は、単なる例示として、フライス削り用カッターにおける本発明の切削用差込み工具の使用を示し、これにおいては、差込み工具の主切れ刃又はその少なくも１個の横要素切れ刃が周囲方向の切れ刃として機能し、そして副切れ刃が前面切れ刃として機能する。図８ａ及び８ｂは、丸削り用工具における本発明の切削用差込み工具１の使用例を示す。
【００２３】
図６Ａは、クランプネジ４８の手段により、それぞれ左勝手及び右勝手に取り付けられた本発明による切削用差込み工具１’及び１”を有する立削り用カッター４６を示す。図６Ｂに示されるように、主切れ刃１０の横要素切れ刃３０が上述のように向けられるため、切削用差込み工具１”の自由側面８と組み合わせられた作動横要素切れ刃３０が所要の正の軸方向すくい角γAを持つことが確保される。横切れ刃部分３０が逆方向に傾けられるということにより、切削作業中に切れ刃１０に作用する軸方向の切削力は平衡を取られる。
【００２４】
図７は、加工物Ｗを機械加工するために本発明による切削用差込み工具１が取り付けられた正面フライス削り用カッター５２を示す。見られるように、切削用差込み工具１において、主切れ刃１０の横要素切れ刃３０は周囲方向の切れ刃として機能し、そして作動コーナー切れ刃１４に隣接して配置された副切れ刃１２の横部分１２’はワイパーとして機能する。フライス削り用カッター５２において、切れ刃１２のその他の部分には、切削用差込み工具１を適切な負の角度δで取り付ける手段により加工物からの所要の間隙が設けられる。図７に示されるように、部分１２’は、隣接した横要素切れ刃３０と９０゜の角度を定める。或いは、横部分１２’と横要素切れ刃３０との間の角度は、これを９０゜より僅かに大きくすることができる。
【００２５】
図８ａは加工物Ｗを機械加工するための丸削り用切削工具５０を示し、これにおいては、切削用差込み工具１は、作動切れ刃１０と作動コーナー切れ刃１４とが存在するように取り付けられる。
【００２６】
図８ｂは加工物Ｗを機械加工するための丸削り用工具５１を示し、これにおいては、切れ刃１２が作動切れ刃として機能し、そして切れ刃１０は切削には関与しない。
【００２７】
図９Ａないし９Ｄ及び図１３Ａないし１３Ｃは、それぞれ９０゜及び４５゜のショルダーフライス削り（ｓｈｏｕｌｄｅｒ  ｍｉｌｌｉｎｇ）作業に使用するための本発明による切削用差込み工具６０及び７０の別の実施例を示す。
【００２８】
図９Ａ、９Ｂ及び１０に見られるように、切削用差込み工具６０において、主切れ刃６２、従って前面及び後面６４は、一般に中低形状のものである。前後の面６４には切り屑形成用の溝６６（図１１及び１２）と中央の突出面６８とが形成され、その横部分６８’と６８”とは、差込み工具６０が切削工具内に取り付けられるときの１対の位置決め面として作用する。切削用差込み工具６０の側面６９の横部分６９’により、差込み工具の追加の位置決め面が構成される。
【００２９】
図１３Ａないし１３Ｃに示された切削用差込み工具７０は、その主切れ刃７２及び前後の面７４の形状は図９Ａないし９Ｄに示された切削用差込み工具６０と同様であり、違いは、隣接の主切れ刃７２と４５゜の角度を定めている２次切れ刃７５がワイパーとして機能し得ることである。
【００３０】
本発明による切削用差込み工具は、その他の適宜適切な用途に使用することができ、また上述されない特徴を有する別のデザインを持つこともできる。例えば、切削用差込み工具の主切れ刃を連続した中低とすることができる。これらの形状はそれらの中心点に関して非対称とすることができる。主切れ刃の中央要素切れ刃を、隣接の横部分に関して差込み工具の外向き方向で突き出すことができる。副切れ刃は、図面に示された実質的な直線と異なった適宜の所要形状にすることができる。全ての切れ刃はその他の適宜適切な形状及び切削用配置を持つことができる。また、前後の面の中央部分と横部分とは平面とすることも非平面とすることもでき、例えば適宜適切な形状の切り屑処理手段を提供するように特別な形とすることができる。更に、作動前面の中央部分及び横部分を基準面Ｐに関して完全に引っ込ませることは必ずしも必要でなく、基準面Ｐより外向きに突き出ている区域を持つことができる。
【図面の簡単な説明】
【図１】  本発明による切削用差込み工具の斜視図である。
【図２】  図１に示された切削用差込み工具の正面図である。
【図３】  図１に示された切削用差込み工具の平面図である。
【図４】  図１に示された切削用差込み工具の側面図である。
【図５Ａ、５Ｂ、５Ｃ及び５Ｄ】  図２に示された切削用差込み工具のそれぞれ線Ａ−Ａ、Ｂ−Ｂ、Ｃ−Ｃ及びＤ−Ｄに沿って得られた断面図である。
【図６Ａ】    本発明による切削用差込み工具が右勝手及び左勝手に取り付けられた立削り用ディスクカッターの斜視図である。
【図６Ｂ】  図６Ａに示された立削り用ディスクカッターに取り付けられたときの図１に示された切削工具の拡大平面図である。
【図７】  本発明による切削用差込み工具の取り付けられた正面フライス削り用カッターの部分的な側面図である。
【図８Ａ及び８Ｂ】  本発明による切削用差込み工具の取り付けられた２種の異なる丸削り用カッターの平面図である。
【図９Ａ、９Ｂ、９Ｃ及び９Ｄ】  本発明の別の実施例による切削用差込み工具のそれぞれ斜視図、平面図、正面図及び側面図である。
【図１０】  図９Ａ−９Ｄに示された切削用差込み工具の図９の線Ｘ−Ｘに沿って得られた断面図である。
【図１１及び１２】  図９Ａ−９Ｄに示された切削用差込み工具の図９Ｂの線ＸＩ−ＸＩ及びＸＩＩ−ＸＩＩに沿って得られた断面図である。
【図１３Ａ、１３Ｂ及び１３Ｃ】  本発明の別の変更実施例による切削用差込み工具のそれぞれ斜視図、平面図、正面図及び側面図である。
【符号の説明】
１                  切削用差込み工具
２                  前方及び後方の作動面
６                  上下の面
８                  別の両側の側面の対
９                  クランプネジ穴
１０                主切れ刃
１２                副切れ刃
１２’              ワイパーとして機能する側部エッジ１２の部分
１４                コーナー切れ刃
１８                前方作動面２の周囲面
２０、２２、２４    それぞれ切れ刃１０、１２及び１４に沿って伸びてい
る周囲面１８の部分
２６                ランド
２７                差込み工具コーナー部分
２８ａ、２８ｂ、２８ｃ  それぞれ切れ刃１０、１２及び１４の逃げ面
２９                突き出ている中央ベース部分
３０                横要素切れ刃
３２                中央要素切れ刃
３４                中間要素切れ刃
４０                前方作動面２の横部分
４２                前方作動面の中央部分
４４                前方作動面の中間部分
４６                立削り用カッター
４８                クランプネジ
５０、５１          丸削り用カッター
５２                正面フライス削り用カッター
６０                別の切削用差込み工具
６２                切削用差込み工具６０の主切れ刃
６４                切削用差込み工具６０の前後の面
６６                切り屑形成用の溝
６８                中央突出面
６８’及び６８”    中央突出面６８の横部分
６９                切削用差込み工具６０の側面
６９’              側面６９の横区域
７０                別の切削油差込み工具
７２                切削用差込み工具７０の主切れ刃
７４                切削用差込み工具７０の前後の面
７５                切削用差込み工具７０のコーナー切れ刃
Ａ                  クランプネジ穴の長手方向軸線
Ｐ                  想像上の基準面
Ｗ                  加工物
γＡ                切削用差込み工具４６における要素切れ刃３０の軸方
向すくい角
θ10、θ12、θ14    切り屑すくい面２０、２２及び２４と基準面Ｐへの垂
線との間で定められた角度
δ                  前面から見たときのフライス削りカッター５２におけ
る切削用差込み工具１の傾斜角度
【図１】
0004362230.tif 000002
【図２】
0004362230.tif 000003
【図３】
0004362230.tif 000004
【図４】
0004362230.tif 000005
【図５Ａ】
0004362230.tif 000006
【図５Ｂ】
0004362230.tif 000007
【図５Ｃ】
0004362230.tif 000008
【図５Ｄ】
0004362230.tif 000009
【図６Ａ】
0004362230.tif 000010
【図６Ｂ】
0004362230.tif 000011
【図７】
0004362230.tif 000012
【図８Ａ】
0004362230.tif 000013
【図８Ｂ】
0004362230.tif 000014
【図９Ａ】
0004362230.tif 000015
【図９Ｂ】
0004362230.tif 000016
【図９Ｃ】
0004362230.tif 000017
【図９Ｄ】
0004362230.tif 000018
【図１０】
0004362230.tif 000019
【図１１】
0004362230.tif 000020
【図１２】
0004362230.tif 000021
【図１３Ａ】
0004362230.tif 000022
【図１３Ｂ】
0004362230.tif 000023
【図１３Ｃ】
0004362230.tif 000024